【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
ツールに取り付けられ、かつホルダビーク（８）を含むホルダ部品（３）と、このホルダビーク（８）に配設され、かつ中空（７）を含む磨耗および／または交換部品（２）とを備えた型の耕運機のツール用に意図された磨耗部品システムであって、中空（７）は、ホルダビーク（８）を把持するように設計され、かつ、ホルダ部品（３）ならびに磨耗および／または交換部品（２）を通してロック機構（５）によって、それに固定され、ホルダビーク（８）ならびに磨耗および／または交換部品（２）の中空（７）は、接触ゾーン（９，２２，２３）を有し、各々が少なくとも二つの相互に作用する接触面（１０，２５，２６）を持ち、それらの一部は特定の予め定められた磨耗後のみに相互に作用し、該接触面は一つはホルダ部品（３）上に、一つは磨耗および／または交換部品（２）上に配置されて、力Ｆｘ、Ｆｙ、およびＦｚを吸収するように意図されており、これらの接触ゾーン（９，２２，２３）のうち、
−  少なくとも一対の前部接触ゾーン（９ａ，９ｂ）が、磨耗物品システム（１）の長手方向対称線Ｙの両側に配置される一方、少なくとも一対の後部接触ゾーン（９ｃ，９ｄ）は、前記線Ｙに対しその両側で特定の定義された角度を成し；
−  前部および後部接触ゾーン（９ｉ，９ｊ及び９ｇ，９ｈ）の各々の少なくとも一対は横方向には対を成してずらして、対称線Ｙの両側に、配置され；
−  接触ゾーンは、一方では、少なくとも一つの前部接触ゾーン（９ｅ）を、他方では、少なくとも二つの接触ゾーン（９，２２，２３）を含み、それらのうちの二つは、共通回転軸線Ｚを有する、相互作用するジョイント（２２，２３）によって構成され、該ジョイント（２２，２３）は各々、各連結部品（２，３）に配置されたそれぞれの接触面（２５，２６）を各々含む凹所（２１）および突起（１９）を備えるように構成された磨耗部品システムにおいて、
前記凹所（２１）が、それぞれの端面（２５）を含むこと、および突起（１９）が、それぞれの端面（２６）を含み、該面（２５，２６）は相互作用して、一方では磨耗および／または交換部品（２）のホルダ部品（３）に対する押し込みを制限し、他方では、接触面（２５，２６）間の接触が第一に前記端面（２５，２６）の共通の中心Ｍ０に形成され、かつ第二に、磨耗が進むにつれて、だんだん大きくなる接触ゾーン（２２′，２３′）としてこの中間接触点Ｍ０を中心に形成されるように設計されることを特徴とする磨耗部品システム（１）。
【請求項２】
ロック機構（５）は、ホルダ部品（３）ならびに磨耗および／または交換部品（２）を通る相互作用開口（２８Ａ，２８Ｂ，２８Ｃ）を介して配置された少なくとも一つのロック装置（２７）を含むこと、および磨耗および／または交換部品（２）ならびにホルダ部品（３）の開口（２８Ａ，２８Ｂ，２８Ｃ）およびロック装置（２７）は、開口（２８Ａ，２８Ｂ，２８Ｃ）の長手方向に少なくとも三つの異なる部分（２９Ａ，２９Ｂ，２９Ｃおよび２８Ａ，２８Ｂ，２８Ｃ）に分割され、そのうち、ロック装置（２７）の取付け方向に最初に現われる、ロック装置開口の部分（２８Ａ）は、最も幅広の断面（２８Ａ）を有し、ロック装置（２７）の取付け方向に最後に現われる、ロック装置開口の第三部分（２８Ｃ）は最小断面（２８Ｃ）を有し、ロック装置（２７）の最初に導入される第三部分（２９Ｃ）は最小断面（２９Ｃ）を有する一方、取付け方向に第二のロック装置部分（２９Ｂ）は、ロック装置（２７）の最初に導入される第三部分（２９Ｃ）より多少大きく、同時に、前記第二ロック装置開口の断面（２８Ｂ）より多少小さい断面（２９Ｂ）を有し、ロック装置（２７）の最後に導入される第一部分（２９Ａ）は、ロック装置（２７）で最も幅広の断面（２９Ａ）を有することを特徴とする請求項１に記載の磨耗部品システム（１）。
【請求項３】
ロック装置（２７）は、ロック装置の本体（２９）内に嵌め込まれた弾性材料（３２）を有する剛性ロック装置の本体（２９）を含む型であり、該材料は少なくとも一つの可動係合部品（３０，３１）を予め定められた位置方向に荷重を加えることを特徴とする請求項２に記載の磨耗部品システム（１）。
【請求項４】
ロック装置（２７）は、弾性材料（３２）によって荷重が加えられる少なくとも二つの可動係合部品（３０，３１）を備え、該係合部品は、ロック装置（２７）を予め定められたロック位置で着脱自在に閉塞するための固定板（３１）、およびその弾性材料（３２）を介して、磨耗および／または交換部品（２）ならびにホルダ部品（３）の接触ゾーン（９，２２，２３）に相互に荷重を加えるように設計された圧縮板（３０）を含むことを特徴とする請求項２または３に記載の磨耗部品システム（１）。
【請求項５】
ロック装置（２７）は弾性材料（３２）用の中空（４３）を含み、該中空（４３）は、これがロック装置（２７）の取外し中に荷重にさらされたときに、弾性材料（３２）の膨張用に意図された第一ギャップ開口（４３）を有し、それに加えて、特定の係合部品（３０，３１）が、ロック装置（２７）に対し外部荷重が掛からない状態で、ロック装置（２７）の本体（２９）からある程度先に突出する、一つまたはそれ以上のさらなるギャップ開口（４１，４２，４３）を有することを特徴とする請求項２〜４のいずれかに記載の磨耗部品システム（１）。
【請求項６】
ホルダ部品（３）のビーク（８）を貫通するロック装置開口（２８Ｂ）は、取り付け方向に第一部分（３５，３７）を含み、第一部分（３５，３７）は、取り付けられたロック装置（２７）の本体（２９）の対応する部分（２９Ｂ′）より、少なくとも第一方向においてより幅広であり、ロック装置開口（２８Ｂ）の該部分（３５，３７）は第一セグメント（３５）および第二セグメント（３７）を有し、前記第一方向に対応するロック装置本体（２９）より幅広である該第一セグメント（３５）は、ロック装置（２７）を閉塞するその延長位置の固定板（３１）用に意図されたキャビティ（３５）を構成するように設計される一方、第二セグメント（３７）は、これがロック装置（２７）の取外し中に荷重にさらされたときに弾性変形可能な弾性材料（３２）の膨張用に意図された空間（４０）を構成または形成するように設計されることを特徴とする請求項２〜５のいずれかに記載の磨耗部品システム（１）。
【請求項７】
爪部品（２）のフード（６）を貫通するロック装置開口（２８Ａ）に続いて、フード（６）のルーフ（３６）の内側に配置されたピン（４５）があり、該ピン（４５）に押し当ててロック装置（２７）の固定板（３１）は固定されることを特徴とする請求項２〜６のいずれかに記載の磨耗部品システム（１）。
【請求項８】
ロック装置（２７）の取付け方向に下向きに広がるベベル（４６）は、ロック装置本体（２９）およびピン（４５）が相互に接触しないように、前記ピン（４５）の方向を向いて、ロック装置本体（２９）のその側に配置されることを特徴とする請求項７に記載の磨耗部品システム（１）。
【請求項９】
フード（６）のルーフ（３６）の内側と同じ高さにおける取り付けられたロック装置（２７）の本体（２９）の断面は、均質な中実の連続した断面、または少なくとも５０％またはそれ以上の程度まで連続している断面から構成されることを特徴とする請求項２〜８のいずれかに記載の磨耗部品システム（１）。
【請求項１０】
Ｙ対称線から爪部品（２）のフード（６）とホルダ部品（３）との間の接触点Ｍ０までのてこ率は、零に等しいか、または突起（１９）の半径Ｒ２未満であることを特徴とする請求項１〜９のいずれかに記載の磨耗部品システム（１）。
【請求項１１】
共通中心Ｍ０における側方ジョイント（２２，２３）の端面（２５，２６）間の距離は、零に等しいか、または実質的に摩耗および／または交換部品（２）ならびにホルダ部品（３）のカラーの端面（１７，１８）間未満であることを特徴とする請求項１〜１０のいずれかに記載の磨耗部品システム（１）。
【請求項１２】
それぞれの凹所（２１）の半径Ｒ１は、対応する突起（１９）の半径Ｒ２より大きいことを特徴とする請求項１０又は１１に記載の磨耗部品システム（１）。
【請求項１３】
少なくとも二つの後部接触ゾーン（９）が設けられ、それは、ビーク（８）を貫通するロック装置開口（２８Ｂ）に沿った内部長手方向外周線ＰｉのＹ対称線に対して、外部側方長手方向外周線Ｐｉｉよりより大きい傾斜角を含むことを特徴とする請求項２〜１２のいずれかに記載の磨耗部品システム（１）。
【請求項１４】
様々な接触面（１０，１１，２５，２６）は、複数の様々な傾斜、コニシティ、および丸み付けを含み、幾つかは平行であるが、側方に偏位することを特徴とする請求項１〜１３のいずれかに記載の磨耗部品システム（１）。
【請求項１５】
ホルダ部品（３）に対する磨耗および／または交換部品（２）の回転によって生じるトルク荷重は、直接、または特定の微小な磨耗後に、後部側方ジョイント（２２，２３）における少なくとも前記接触ゾーン（２５，２６）との相互作用で、前部接触ゾーン（９）の少なくとも一つによって吸収されるように設計されることを特徴とする請求項１〜１４のいずれかに記載の磨耗部品システム（１）。